(57)【要約】【課題】比較的簡易な構造でゴースト光の発生やフォーカスのずれの発生を抑制することのできるプロジェクターを提供すること。【解決手段】ガラスプリズム９１ｇ，９１ｒ，９１ｂが、光合成部７０と協働して出射偏光板９２ｇ，９２ｒ，９２ｂを挟持している。これにより、出射偏光板９２ｇ，９２ｒ，９２ｂの凹凸を低減でき、フォーカスのずれの発生を抑制することができる。さらに、ガラスプリズム９１ｇ，９１ｒ，９１ｂが、液晶パネル６１ｇ，６１ｒ，６１ｂの主面ＳＳ，ＳＳ，ＳＳに対して傾斜角度βをなす入射側平面ＩＰ，ＩＰ，ＩＰを有する。入射側平面ＩＰ，ＩＰ，ＩＰが液晶パネル６１ｇ，６１ｒ，６１ｂの主面に対して傾いた状態であることにより、各色光Ｇｓ，Ｒｓ，Ｂｓの成分のうち反射され不要となる成分を光路外へ排出でき、ゴースト光の発生を抑制できる。【選択図】図１
2012008434.tif 000002
【特許請求の範囲】
【請求項１】
照明光束を形成する照明装置と、
前記照明装置により形成された前記照明光束を複数の色光に分離する色分離導光部と、
前記色分離導光部により分離された前記複数の色光をそれぞれ画像情報に応じて変調する複数の光変調装置と、
前記複数の光変調装置で変調された各色の変調光の偏光状態をそれぞれ調整する複数の光学フィルムと、
前記複数の光学フィルムを経た前記各色の変調光を合成する光合成部と、
前記複数の光学フィルムの光路上流側にそれぞれ配置され前記光合成部と協働して前記複数の光学フィルムを挟持し、前記複数の光変調装置の主面に対して所定の傾斜角度をなす入射側平面をそれぞれ有する複数のガラス部材と、
前記光合成部を経た像光を投射する投射レンズと、
を備えるプロジェクター。
【請求項２】
照明光束を形成する照明装置と、
前記照明装置により形成された前記照明光束を複数の色光に分離する色分離導光部と、
前記色分離導光部により分離された前記複数の色光をそれぞれ画像情報に応じて変調する複数の光変調装置と、
前記複数の光変調装置で変調された各色の変調光の偏光状態をそれぞれ調整する複数の光学フィルムと、
前記複数の光学フィルムを経た前記各色の変調光を合成する光合成部と、
前記複数の光学フィルムの光路上流側にそれぞれ配置され前記光合成部と協働して前記複数の光学フィルムを挟持し、前記各色の変調光の光束中心軸に対して所定の傾斜角度をなす方向に向く入射側平面をそれぞれ有する複数のガラス部材と、
前記光合成部を経た像光を投射する投射レンズと、
を備えるプロジェクター。
【請求項３】
前記複数のガラス部材は、互いに同一形状を有し、
前記光合成部の光射出面側に配置され、前記複数のガラス部材と同一形状を有し、前記複数のガラス部材の前記入射側平面からそれぞれ入射した前記各色の変調光の光路長を揃える方向に向く射出側平面を有する射出側ガラス部材をさらに備える、請求項１及び請求項２のいずれか一項に記載のプロジェクター。
【請求項４】
前記光合成部と前記射出側ガラス部材とに挟持される位相差板をさらに備える、請求項３に記載のプロジェクター。
【請求項５】
前記複数のガラス部材は、側面の１つを前記入射側平面とする楔角を有する三角柱プリズムである、請求項１から請求項４までのいずれか一項に記載のプロジェクター。
【請求項６】
前記複数のガラス部材は、主面の１つを前記入射側平面とする平板部材であり、前記光合成部の光入射面は、前記複数の光変調装置の主面に対して所定角度をなす、請求項１から請求項４までのいずれか一項に記載のプロジェクター。
【請求項７】
前記複数の光変調装置は、反射型の光変調装置である、請求項１から請求項６までのいずれか一項に記載のプロジェクター。
【請求項８】
前記複数の光学フィルムは、前記各色の変調光のうち特定方向の偏光を透過させる偏光板である、請求項１から請求項７までのいずれか一項に記載のプロジェクター。
【発明の詳細な説明】
【技術分野】
【０００１】
本発明は、複数の光変調装置によって変調された光束を光合成部により合成し、画像として投射するプロジェクターに関する。
【背景技術】
【０００２】
プロジェクターとして、複数の色光を画像情報に応じて変調する複数の液晶パネルと、各液晶パネルで変調された複数の色光を合成して画像光を形成するクロスダイクロイックプリズムとを一体化して備えるものが知られている（例えば、特許文献１等参照）。特に、各液晶パネルの光路下流側にその射出側端面に対して傾斜させた反射型偏光素子を設けることにより、射出光の偏光方向を揃え、さらに、その偏光状態をクロスダイクロイックプリズムでの透過・反射に対応させることで光の利用効率を向上させるものが知られている（特許文献２参照）。
【先行技術文献】
【特許文献】
【０００３】
【特許文献１】特開２００３−１２１９３１号公報
【特許文献２】特開２００９−２２９９１３号公報
【発明の概要】
【発明が解決しようとする課題】
【０００４】
しかしながら、上記特許文献１のように、各液晶パネルの光路下流側に偏光板等の光学素子を配置すると、当該光学素子で反射され有効な光として利用されない成分が液晶パネル側に戻されてゴースト光の原因となる場合がある。また、当該光学素子に凹凸があるとフォーカスのずれが発生する場合がある。また、上記特許文献２のように、各液晶パネルからクロスダイクロイックプリズムまでを接合によって一体化した場合、その構造は固定化され各部材間の調整ができず、仮に調整可能な構造とすれば、ゴースト光等が生じる可能性がある。また、上記特許文献２の場合、各液晶パネルの光路下流側において、２つの三角柱形状のプリズムによって反射型の偏光素子本体を傾斜させる等の複雑・高価な構造を必要とする。
【０００５】
そこで、本発明は、比較的簡易な構造でゴースト光の発生やフォーカスのずれの発生を抑制することのできるプロジェクターを提供することを目的とする。
【課題を解決するための手段】
【０００６】
上記課題を解決するため、本発明に係る第１のプロジェクターは、（ａ）照明光束を形成する照明装置と、（ｂ）照明装置により形成された照明光束を複数の色光に分離する色分離導光部と、（ｃ）色分離導光部により分離された複数の色光をそれぞれ画像情報に応じて変調する複数の光変調装置と、（ｄ）複数の光変調装置で変調された各色の変調光の偏光状態をそれぞれ調整する複数の光学フィルムと、（ｅ）複数の光学フィルムを経た各色の変調光を合成する光合成部と、（ｆ１）複数の光学フィルムの光路上流側にそれぞれ配置され光合成部と協働して複数の光学フィルムを挟持し、（ｆ２）複数の光変調装置の主面に対して所定の傾斜角度をなす入射側平面をそれぞれ有する（ｆ）複数のガラス部材と、（ｇ）光合成部を経た像光を投射する投射レンズと、を備える。ここで、各ガラス部材において、対応する光変調装置の主面に対する入射側平面の傾斜角度とは、当該ガラス部材及び光変調装置が現実に配置されている状態における主面と入射側平面とのなす角度のみならず、当該ガラス部材及び光変調装置を通る光軸が直線的に延びるように展開した状態における主面と入射側平面とのなす角度も含むものである。
【０００７】
上記第１のプロジェクターによれば、複数のガラス部材が、光合成部と協働して複数の光学フィルムをそれぞれ挟持する。これにより、光路上に挿入された光学フィルムの凹凸によって生じるフォーカスのずれを抑制できる。さらに、複数のガラス部材が、複数の光変調装置の主面に対して所定の傾斜角度をなす入射側平面を有する。入射側平面が当該主面に対して傾いた状態であることにより、入射側平面において反射される不要な成分を光変調装置側に戻すことなく光路外へ排出でき、比較的簡易な構造でゴースト光の発生を抑制できる。
【０００８】
上記課題を解決するため、本発明に係る第２のプロジェクターは、（ａ）照明光束を形成する照明装置と、（ｂ）照明装置により形成された照明光束を複数の色光に分離する色分離導光部と、（ｃ）色分離導光部により分離された前記複数の色光をそれぞれ画像情報に応じて変調する複数の光変調装置と、（ｄ）複数の光変調装置で変調された各色の変調光の偏光状態をそれぞれ調整する複数の光学フィルムと、（ｅ）複数の光学フィルムを経た前記各色の変調光を合成する光合成部と、（ｆ１）複数の光学フィルムの光路上流側にそれぞれ配置され光合成部と協働して前記複数の光学フィルムを挟持し、（ｆ２）各色の変調光の光束中心軸に対して所定の傾斜角度をなす方向に向く入射側平面をそれぞれ有する（ｆ）複数のガラス部材と、（ｇ）光合成部を経た像光を投射する投射レンズと、を備える。
【０００９】
上記第２のプロジェクターによれば、複数のガラス部材が、光合成部と協働して複数の光学フィルムをそれぞれ挟持する。これにより、光路上に挿入された光学フィルムの凹凸によって生じるフォーカスのずれを抑制できる。さらに、複数のガラス部材が、各色の変調光の光束中心軸に対して所定の傾斜角度をなす方向に向く入射側平面を有する。入射側平面が当該光束中心軸に対して傾いた状態であることにより、入射側平面において反射される不要な成分を光変調装置側に戻すことなく光路外へ排出でき、比較的簡易な構造でゴースト光の発生を抑制できる。
【００１０】
また、本発明の具体的な態様又は側面によれば、（ａ）複数のガラス部材が、互いに同一形状を有し、（ｂ）プロジェクターが、光合成部の光射出面側に配置され、複数のガラス部材と同一形状を有し、複数のガラス部材の入射側平面からそれぞれ入射した各色の変調光の光路長を揃える方向に向く射出側平面を有する射出側ガラス部材をさらに備える。この場合、光合成部の入射側にガラス部材を配置したことによる光路の傾き発生を防止して各色の変調光の光路長を揃え、光合成部から射出された画像光の画面内での光路差の発生を防止でき、また、投射レンズのテレセントリック性を良好にできる。なお、射出側ガラス部材の射出側平面を、光路長を揃える方向に向けた場合、当該射出側平面は、入射側の複数のガラス部材のうちいずれかに対して平行に配置されることになる。
【００１１】
また、本発明の別の態様によれば、プロジェクターが、光合成部と射出側ガラス部材とに挟持される位相差板をさらに備える。この場合、投射レンズに入射する光束の偏光状態を調整することができ、投射レンズ側から戻ってくる不要光の成分に起因するゴースト光の発生を抑制することができる。
【００１２】
また、本発明の別の態様によれば、複数のガラス部材が、側面の１つを入射側平面とする楔角を有する三角柱プリズムである。この場合、三角柱プリズムにおいて入射側平面となるべき側面の傾斜角度を適宜調整することで、当該側面上で反射される成分を光路外へ確実に排出できる。なお、光学フィルムは、光束中心軸又はシステム光軸に対して垂直に配置可能になる。
【００１３】
また、本発明の別の態様によれば、複数のガラス部材が、主面の１つを入射側平面とする平板部材であり、光合成部の光入射面が、複数の光変調装置の主面に対して所定角度をなす。この場合、光合成部の光入射面の傾斜角度を適宜調整して平板部材の主面を傾斜させ入射側平面とすることで、当該側面上で反射される成分を光路外へ確実に排出できる。
【００１４】
また、本発明の別の態様によれば、複数の光変調装置が、反射型の光変調装置である。この場合、比較的高コントラストな画像形成が可能となる。また、光変調装置と光合成部との間に偏光ビームスプリッターを設けた場合、光変調装置が光合成部から離れ、入射側平面において反射される不要な成分を光路外に逸らしやすくなる。
【００１５】
また、本発明の別の態様によれば、複数の光学フィルムが、各色の変調光のうち特定方向の偏光を透過させる偏光板である。この場合、光合成部に入射させる光束の偏光度即ち消光比を高めることができ、コントラストをより向上させることができる。
【図面の簡単な説明】
【００１６】
【図１】第１実施形態に係るプロジェクターを説明する平面図である。
【図２】各色光の合成の様子について説明するための図である。
【図３】緑光の光路である第１光路についての展開図である。
【図４】第２実施形態に係るプロジェクターを説明する平面図である。
【図５】各色光の合成の様子について説明するための図である。
【図６】（Ａ）、（Ｂ）は、第３実施形態に係るプロジェクターを説明する平面図及び側面図である。
【図７】第４実施形態に係るプロジェクターについて説明するための図である。
【図８】（Ａ）〜（Ｃ）は、第５実施形態に係るプロジェクターを説明するための図である。
【発明を実施するための形態】
【００１７】
〔第１実施形態〕
以下、図１等を参照して、本発明の第１実施形態に係るプロジェクターについて説明する。なお、図１において、Ｘ、Ｙ、及びＺは、３次元直交座標系を構成する３つの座標軸を意味する。
【００１８】
図１に示すプロジェクター１００は、照明光を射出する照明装置２０と、照明装置２０からの照明光を緑赤青の３つの色光に分離する色分離導光部４０と、色分離導光部４０から射出された３つの色光をそれぞれ変調する光変調部６０と、変調光の状態を調整する光束状態調整部９０と、光変調部６０及び光束状態調整部９０を経た画像光を合成する光合成部７０と、光合成部７０によって合成された画像光を投射する投射レンズ８０とを備える。これらのうち、照明装置２０から光合成部７０までの部分は、光学部品用筐体（不図示）の内部に収納されている。なお、本プロジェクター１００の場合、照明装置２０から投射レンズ８０までにおける光束の中心軸に相当するシステム光軸ＳＡは、ＸＹ平面（基準面）に平行に２次元的に配置されている。
【００１９】
以上のプロジェクター１００において、照明装置２０は、光源装置１０と、凹レンズ１４と、第１及び第２のレンズアレイ１５，１６と、偏光変換装置１７と、重畳レンズ１８とを備える。このうち、光源装置１０は、照明用の光束を射出する光源であり、例えば高圧水銀ランプ等である発光管１１と、発光管１１から重畳レンズ１８等のある前方に射出された光束を発光管１１に戻す副鏡１１ａと、発光管１１から後方に射出された光束を回収して前方に射出させる凹面鏡１２とを備える。凹レンズ１４は、光源装置１０からの光束を平行化する役割を有するが、例えば凹面鏡１２が放物面鏡である場合には、省略することもできる。第１のレンズアレイ１５は、マトリクス状に配置された複数の要素レンズ１５ａからなり、レンズ１４から射出された光束を要素レンズ１５ａの区画に対応して分割する。第２のレンズアレイ１６は、複数の要素レンズ１５ａにそれぞれ対応して配置された複数の要素レンズ１６ａからなり、各要素レンズ１５ａからの分割光束の発散状態を調整する。偏光変換装置１７は、ＰＢＳ等を含むプリズム素子１７ａからなり、レンズアレイ１６から射出された分割光束を第１方向（本実施形態ではＹ方向）に平行な偏光面を有する直線偏光のみに変換して次段光学系に供給する偏光変換部である。重畳レンズ１８は、偏光変換装置１７を経た直線偏光としての照明光束ＩＬを全体として適宜収束させることにより、被照明領域すなわち光変調部６０に設けた各色の液晶ライトバルブ６０ｇ，６０ｒ，６０ｂに対する重畳照明を可能にする。つまり、両レンズアレイ１５，１６と重畳レンズ１８とを経た照明光束ＩＬは、以下に詳述する色分離導光部４０を通って、光変調部６０に設けられた各色の液晶パネル６１ｇ，６１ｒ，６１ｂを均一に照明する。
【００２０】
色分離導光部４０は、クロスダイクロイックミラー２１と、ダイクロイックミラー２２と、折曲ミラー２３ａ，２３ｂと、第１レンズ３１ａ，３１ｂと、第２レンズ３２ｇ，３２ｒ，３２ｂとを備える。ここで、クロスダイクロイックミラー２１は、第１ダイクロイックミラー２１ａと、第２ダイクロイックミラー２１ｂとを備える。第１及び第２ダイクロイックミラー２１ａ，２１ｂは互いに直交しており、それらの交差軸２１ｃはＺ方向に延びている。第１ダイクロイックミラー２１ａは、照明光束ＩＬに含まれる例えば緑（Ｇ）色及び赤（Ｒ）色を反射し、残りの青（Ｂ）色を透過させる。第２ダイクロイックミラー２１ｂは、青（Ｂ）色を反射し、緑（Ｇ）色及び赤（Ｒ）色を透過させる。ダイクロイックミラー２２は、入射した緑赤（ＧＲ）色のうちの例えば緑（Ｇ）色を反射し、残りの赤（Ｒ）色を透過させる。これにより、照明装置２０から射出された照明光束ＩＬを構成する互いに波長帯域の異なる緑光Ｇｐ、赤光Ｒｐ、及び青光Ｂｐは、第１、第２、及び第３光路ＯＰ１，ＯＰ２，ＯＰ３にそれぞれ導かれ、異なる照明対象にそれぞれ入射する。詳細に説明すると、照明装置２０からの照明光束ＩＬは、クロスダイクロイックミラー２１に入射する。クロスダイクロイックミラー２１の第１ダイクロイックミラー２１ａで反射・分岐され、折曲ミラー２３ａ等を経て、ダイクロイックミラー２２でさらに反射・分岐された緑光Ｇｐは、液晶ライトバルブ６０ｇの偏光ビームスプリッター５２ｇに入射する。さらに、クロスダイクロイックミラー２１の第１ダイクロイックミラー２１ａで反射・分岐され、ダイクロイックミラー２２の通過によって分岐された赤光Ｒｐは、液晶ライトバルブ６０ｒの偏光ビームスプリッター５２ｒに入射する。クロスダイクロイックミラー２１の第２ダイクロイックミラー２１ｂで反射・分岐された青光Ｂｐは、折曲ミラー２３ｂ等を経て、液晶ライトバルブ６０ｂの偏光ビームスプリッター５２ｂに入射する。
【００２１】
なお、第１光路ＯＰ１上に配された第１レンズ３１ａと第２レンズ３２ｇとは、液晶パネル６１ｇに入射する緑光Ｇｐの角度状態を調整するために設けられている。また、第２光路ＯＰ２上に配された第１レンズ３１ａと第２レンズ３２ｒとは、液晶パネル６１ｒに入射する赤光Ｒｐの角度状態を調整するために設けられている。第３光路ＯＰ３上に配された第１レンズ３１ｂと第２レンズ３２ｂとは、液晶パネル６１ｂに入射する青光Ｂｐの角度状態を調整するために設けられている。
【００２２】
光変調部６０は、上記した各色用の３つの光路ＯＰ１，ＯＰ２，ＯＰ３に対応して、３つの液晶ライトバルブ６０ｇ，６０ｒ，６０ｂを備える。各液晶ライトバルブ６０ｇ，６０ｒ，６０ｂは、入射した照明光の強度の空間分布を変調する非発光型の光変調装置である。
【００２３】
ここで、第１光路ＯＰ１に配置されたＧ色用の液晶ライトバルブ６０ｇは、緑光Ｇｐによって照明される液晶パネル６１ｇと、液晶ライトバルブ６０ｇでの緑光の入出射を管理する偏光ビームスプリッター５２ｇと、液晶ライトバルブ６０ｇの光入射側に配置される入射偏光板５１ｇとを備える。このうち、液晶パネル６１ｇは、背面側に反射板を備え、照明光が入射した面から変調された光が射出される反射型液晶素子であり、偏光ビームスプリッター５２ｇ等を通過した緑光Ｇｐによって均一な照度で照明される。液晶パネル６１ｇは、図示による説明を省略するが、透明電極等を有する光透過性基板と、反射画素電極等を有する駆動基板と、光透過性基板及び駆動基板間に密閉封入される液晶層とを備える。液晶パネル６１ｇは、これに入射した緑光Ｇｐの偏光状態を画像信号に応じて変換し、これを偏光ビームスプリッター５２ｇに向けて反射する。偏光ビームスプリッター５２ｇは、反射型偏光素子であり、液晶パネル６１ｇで反射された光のうち、第１方向に対して垂直な第２方向（この場合Ｚ方向）の直線偏光成分のみを選択的に反射する。つまり、略Ｓ偏光状態の緑光Ｇｓが、偏光ビームスプリッター５２ｇから射出される。
【００２４】
第２光路ＯＰ２に配置されたＲ色用の液晶ライトバルブ６０ｒは、赤光Ｒｐによって照明される液晶パネル６１ｒと、液晶ライトバルブ６０ｒでの赤光の入出射を管理する偏光ビームスプリッター５２ｒと、液晶ライトバルブ６０ｒの光入射側に配置される入射偏光板５１ｒとを備える。このうち、液晶パネル６１ｒは、背面側に反射板を備え、照明光が入射した面から変調された光が射出される反射型液晶素子であり、偏光ビームスプリッター５２ｒ等を通過した赤光Ｒｐによって均一な照度で照明される。液晶パネル６１ｒは、詳細な説明を省略するが、緑色用の液晶パネル６１ｇと同様の構造を有する。液晶パネル６１ｒは、これに入射した赤光Ｒｐの偏光状態を画像信号に応じて変換し、これを偏光ビームスプリッター５２ｒに向けて反射する。偏光ビームスプリッター５２ｒは、反射型偏光素子であり、液晶パネル６１ｒで反射された光のうち、第２方向（この場合Ｚ方向）の直線偏光成分のみを選択的に反射する。つまり、略Ｓ偏光状態の赤光Ｒｓが、偏光ビームスプリッター５２ｒから射出される。
【００２５】
第３光路ＯＰ３に配置されたＢ色用の液晶ライトバルブ６０ｂは、青光Ｂｐによって照明される液晶パネル６１ｂと、液晶ライトバルブ６０ｂでの青光の入出射を管理する偏光ビームスプリッター５２ｂと、液晶ライトバルブ６０ｂの光入射側に配置される入射偏光板５１ｂとを備える。このうち、液晶パネル６１ｂは、背面側に反射板を備え、照明光が入射した面から変調された光が射出される反射型液晶素子であり、第２ダイクロイックミラー２１ｂで反射されて、偏光ビームスプリッター５２ｂを通過した青光Ｂｐによって均一な照度で照明される。液晶パネル６１ｂは、詳細な説明を省略するが、緑色用の液晶パネル６１ｇと同様の構造を有する。液晶パネル６１ｂは、これに入射した青光Ｂｐの偏光状態を画像信号に応じて変換し、これを偏光ビームスプリッター５２ｂに向けて反射する。偏光ビームスプリッター５２ｂは、反射型偏光素子であり、液晶パネル６１ｂを経て変調された光のうち、第２方向（この場合Ｚ方向）の直線偏光成分のみを選択的に反射する。つまり、略Ｓ偏光状態の青光Ｂｓが、偏光ビームスプリッター５２ｂから射出される。
【００２６】
光束状態調整部９０は、３つのガラスプリズム９１ｇ，９１ｒ，９１ｂと、３つの出射偏光板９２ｇ，９２ｒ，９２ｂと、１つの１／２波長板９３とを備える。ガラスプリズム９１ｇ，９１ｒ，９１ｂは、光変調部６０に設けた各偏光ビームスプリッター５２ｇ，５２ｒ，５２ｂの光出射側にそれぞれ配置されている。また、出射偏光板９２ｇ，９２ｒ，９２ｂは、ガラスプリズム９１ｇ，９１ｒ，９１ｂの光路下流側にそれぞれ配置されている。さらに、１／２波長板９３は、出射偏光板９２ｇの光路下流側に配置されている。ガラスプリズム９１ｇ，９１ｒ，９１ｂは、透光性を有する同一材料で形成され同一形状を有する入射側のガラス部材である。出射偏光板９２ｇ，９２ｒ，９２ｂは、有機材料等で形成される光学フィルムである。これらの出射偏光板９２ｇ，９２ｒ，９２ｂ及び１／２波長板９３は、後述する光合成部７０とガラスプリズム９１ｇ，９１ｒ，９１ｂとによって挟持されている。
【００２７】
以下、図２により３つのガラスプリズム９１ｇ，９１ｒ，９１ｂのうち、ガラスプリズム９１ｇの形状等について詳しく説明する。なお、他のガラスプリズム９１ｒ，９１ｂの形状等については、ガラスプリズム９１ｇと同様であるので詳しい説明を省略する。ガラスプリズム９１ｇは、直角三角形を底面としてＺ方向に延び楔角を有する三角柱プリズムである。より具体的には、ガラスプリズム９１ｇは、３つの側面として、光束入射側に位置する第１側面Ｓ１と、光束射出側に位置する第２側面Ｓ２と、第１側面Ｓ１と第２側面Ｓ２とを連結する第３側面Ｓ３とを有する。ここでは、第２側面Ｓ２と第３側面Ｓ３とが垂直であり第１側面Ｓ１が斜面であるものとする。これらの側面のうち、第２側面Ｓ２はＹＺ面に平行であり、第３側面Ｓ３はＸＺ面に平行である。これに対して、第１側面Ｓ１は、緑光Ｇｓの入射側平面ＩＰとして、入射する緑光Ｇｓの光束中心軸に対応するシステム光軸ＳＡ即ち図中の第１光路ＯＰ１に対して傾いた状態で配置されている。つまり、第１側面Ｓ１と第３側面Ｓ３とが角度αをなし、これに伴い、入射側平面ＩＰの法線ＰＰは、図中第１光路ＯＰ１によって示される中心光束の軸即ちシステム光軸ＳＡを基準として、Ｚ軸に平行な軸を中心に時計回りに傾斜角度β（β＝９０°−α）だけ傾いている。第２側面Ｓ２である光射出面ＥＰは、光合成部７０の第１光入射面７０ｇに近接して平行な状態でこれに対向している。これらの面間において、ガラスプリズム９１ｇと光合成部７０とが接着剤によって接着されることで互いに協働して、出射偏光板９２ｇ及び１／２波長板９３を挟持している。同様に、ガラスプリズム９１ｒと光合成部７０とが接着剤によって接着されることで互いに協働して、出射偏光板９２ｒを挟持している。また、ガラスプリズム９１ｂと光合成部７０とが接着剤によって接着されることで互いに協働して、出射偏光板９２ｂを挟持している。これらのガラスプリズム９１ｒ，９１ｂの第１側面Ｓ１，Ｓ１即ち入射側平面ＩＰ，ＩＰは、システム光軸ＳＡを基準としてＺ軸に平行な軸を中心に時計回りに傾斜角度βだけそれぞれ傾いている。
【００２８】
出射偏光板９２ｇ，９２ｒ，９２ｂは、変調光である各色光Ｇｓ，Ｒｓ，Ｂｓを不要光の吸収によって特定方向の偏光状態にする吸収型偏光素子であり、液晶ライトバルブ６０ｇ，６０ｒ，６０ｂを経てガラスプリズム９１ｇ，９１ｒ，９１ｂから射出される各色光Ｇｓ，Ｒｓ，Ｂｓの偏光度即ち消光比をさらに高めることができ、投射像のコントラストを極めて高くすることができる。なお、１／２波長板９３は、出射偏光板９２ｇを経た緑光Ｇｓを、Ｓ偏光の状態からＰ偏光の状態の緑光Ｇｐに変換する。
【００２９】
ここで、出射偏光板９２ｇ，９２ｒ，９２ｂがフィルム状の有機材料を基材とするものである場合、これらを比較的安価で薄く、かつ、良好な偏光板とすることができる。半面、有機材料のフィルム又は薄板は、自立させた場合には、局所的な凹凸が形成されやすく、画像光に局所的なフォーカスのずれを生じさせる原因となるおそれがある。これに対して、本実施形態では、出射偏光板９２ｇ，９２ｒ，９２ｂを、例えばＵＶ接着剤を利用することにより、ガラスプリズム９１ｇ，９１ｒ，９１ｂ等のプリズム面で挟持してこれらのプリズム面に密着させた状態としている。これにより、出射偏光板９２ｇ，９２ｒ，９２ｂにおいて生じうる凹凸を抑制している。つまり、出射偏光板９２ｇ，９２ｒ，９２ｂによって局所的に発生し得るフォーカスのズレを抑制している。
【００３０】
光合成部７０は、光束状態調整部９０を経た各色光Ｇｐ，Ｒｓ，Ｂｓを一つの画像光として合成する合成部材である。光合成部７０は、ガラスプリズム９１ｇ，９１ｒ，９１ｂと同一屈折率材料の４つの直角プリズムを貼り合わせて形成され、平面視略正方形状をなしている。光合成部７０の外観を構成する４つの側面のうち、各色光Ｇｐ，Ｒｓ，Ｂｓを入射させる第１、第２及び第３の光入射面７０ｇ，７０ｒ，７０ｂは、システム光軸ＳＡと直交する状態に配置されており、既述のように、３つのガラスプリズム９１ｇ，９１ｒ，９１ｂの光射出面ＥＰ，ＥＰ，ＥＰとそれぞれ協働して、３つの出射偏光板９２ｇ，９２ｒ，９２ｂ及び１／２波長板９３を挟持している。また、上記直角プリズム同士を貼り合わせた界面には、合成面として、Ｘ字状に交差するとともに交差軸ＡＸがＺ方向に延びる一対のダイクロイックミラー７１ａ，７１ｂが形成されている。両ダイクロイックミラー７１ａ，７１ｂは、特性が異なる誘電体多層膜で形成されている。すなわち、一方の第１ダイクロイックミラー７１ａは赤光Ｒｓを反射し、他方の第１ダイクロイックミラー７１ｂは青光Ｂｓを反射する。この光合成部７０は、液晶ライトバルブ６０ｇからの変調後の緑光Ｇｐを第１及び第２ダイクロイックミラー７１ａ，７１ｂを透過させることによりＸ方向に直進させ、液晶ライトバルブ６０ｒからの変調後の赤光Ｒｓを第１ダイクロイックミラー７１ａで反射して光路を折り曲げることによりＸ方向に射出させ、液晶ライトバルブ６０ｂからの変調後の青光Ｂｓを第２ダイクロイックミラー７１ｂで反射して光路を折り曲げることによりＸ方向に射出させる。光合成部７０の光射出側では、各色光Ｇｐ，Ｒｓ，Ｂｓが重ね合わされて色合成が行われる。なお、既述のように、光合成部７０と出射偏光板９２ｇとの間に配置される１／２波長板９３により、緑光ＧｐをＰ偏光状態でダイクロイックミラー７１ａ，７１ｂに入射させることができ、光合成部７０における各色光Ｇｐ，Ｒｓ，Ｂｓの合成効率を高めることができ、色ムラの発生を抑えることができる。
【００３１】
以下、３つのガラスプリズム９１ｇ，９１ｒ，９１ｂに入射し、光合成部７０で合成される各色光Ｇｓ（Ｇｐ），Ｒｓ，Ｂｓ即ち各色光ＬＧ，ＬＲ，ＬＢの光路について詳しく説明する。
【００３２】
まず、液晶ライトバルブ６０ｇを経てガラスプリズム９１ｇの入射側平面ＩＰに入射する緑光ＬＧは、既述のように入射側平面ＩＰが緑光ＬＧの入射方向に対して傾斜角度βだけ傾いた状態となっている。このため、入射した緑光ＬＧは、若干屈折して光路の方向が変更された状態でガラスプリズム９１ｇ内を通過し、さらに光合成部７０において他の色光ＬＲ，ＬＢと合成され投射レンズ８０に向けて画像光として射出される。
【００３３】
これに対して、緑光ＬＧのうち、入射側平面ＩＰ上において部分的に反射され不要となる成分である不要光ＬＬが存在する。この不要光ＬＬは、入射側平面ＩＰが傾いていることによって、液晶パネル６１ｇ側に戻ることなく緑光ＬＧの光路外の方向に排出される。このため、不要光ＬＬがゴースト光の原因となることを抑制できる。同様に、赤光ＬＲ及び青光ＬＢについても、ガラスプリズム９１ｒ，９１ｂの傾いた入射側平面ＩＰ，ＩＰによって不要光ＬＬを光路外の方向に排出している。
【００３４】
ガラスプリズム９１ｇを通過する緑光ＬＧと同様に、他の色光ＬＲ，ＬＢについても、ガラスプリズム９１ｒ，９１ｂの入射側平面ＩＰ，ＩＰに入射すると、若干屈折して光路の方向が変更された状態でガラスプリズム９１ｇ内を通過し、光合成部７０において他の色光と合成される。この際、３つのガラスプリズム９１ｇ，９１ｒ，９１ｂの配置は、各色光ＬＧ，ＬＲ，ＬＢを正確に重ね合わせることができるものとなっている。具体的には、図示のように、まず、緑光ＬＧを通過させるガラスプリズム９１ｇは、進行方向右側即ち−Ｙ側に第３側面Ｓ３を有している。つまり、−Ｙ側ほどシステム光軸ＳＡの方向について厚くなっている。また、赤光ＬＲを通過させるガラスプリズム９１ｒは、進行方向左側即ち＋Ｘ側に第３側面Ｓ３を有している。つまり、＋Ｘ側ほどシステム光軸ＳＡの方向について厚くなっている。また、青光ＬＢを通過させるガラスプリズム９１ｂは、進行方向左側即ち−Ｘ側に第３側面Ｓ３を有している。つまり、−Ｘ側ほどシステム光軸ＳＡの方向について厚くなっている。これは、ガラスプリズム９１ｇ，９１ｒ，９１ｂが光合成後を基準として等価的に配置されていることを意味する。具体的には、例えば緑光ＬＧのうちガラスプリズム９１ｇの比較的薄い側である進行方向左寄りの位置から入射する成分は、まず、ダイクロイックミラー７１ａにおいて赤光ＬＲのうちガラスプリズム９１ｒの比較的薄い側である進行方向右寄りの位置から入射する成分と射出方向を揃えるように合成される。次に、緑光ＬＧの上記成分と赤光ＬＲの上記成分との合成成分は、ダイクロイックミラー７１ｂにおいて青光ＬＢのうちガラスプリズム９１ｂの比較的薄い側である進行方向右寄りの位置から入射する成分と射出方向を揃えるように合成される。つまり、３つのガラスプリズム９１ｇ，９１ｒ，９１ｂのいずれにおいても比較的薄い側から入射する成分同士が合成されるものとなっている。他の位置から入射する各色の成分の合成についても同様であり、全体として射出方向を一致させつつ各色間で光路差を生じさせることなく各色光ＬＧ，ＬＲ，ＬＢを重ね合わせることができる。以上のようにして各色光ＬＧ，ＬＲ，ＬＢを合成して形成された合成光は、互いにずれなく重ね合わせられた状態の画像光として光合成部７０から射出される。
【００３５】
以下、図３により、緑光ＬＧの光路上における各構成要素と不要光ＬＬの処理との関係について説明する。図３は、緑光ＬＧの液晶ライトバルブ６０ｇから投射レンズ８０までの光路が直線的に延びるように展開した図である。なお、他の色光ＬＲ，ＬＢについては、緑光ＬＧと同様であるので、詳しい説明は省略する。図示のように展開した場合において、ガラスプリズム９１ｇの入射側平面ＩＰは、システム光軸ＳＡに垂直な液晶パネル６１ｇの主面ＳＳに対して傾斜角度βだけ傾いている。本実施形態では、図１等に示すように実際に配置された状態ではなく、図３に示すように光路について展開した状態を想定して入射側平面ＩＰの傾斜角度βを捉えるものとする。ここで、ガラスプリズム９１ｇの入射側平面ＩＰと液晶パネル６１ｇの主面ＳＳとのなす傾斜角度βは、図２に示す傾斜角度βと等しいものとなる。主面ＳＳに対する入射側平面ＩＰの傾斜度合い即ち傾斜角度βの値を、液晶パネル６１ｇから入射側平面ＩＰまでの距離や緑光Ｇｓの光束幅等に応じて適宜定めることで、入射側平面ＩＰにおいて反射される不要光ＬＬが液晶パネル６１ｇ側に戻ることなく光路外へ排出されるようにできる。なお、液晶パネル６１ｇから光合成部７０までの間において、反射されて液晶パネル６１ｇ側に戻される不要成分は、空気との界面である入射側平面ＩＰにおいて最も発生しやすい。本実施形態では、このような面である入射側平面ＩＰを液晶パネル６１ｇの主面ＳＳに対して傾斜させることで、ゴーストの発生を効果的に抑制するものとなっている。
【００３６】
図２に戻って、投射レンズ８０は、光合成部７０で合成されたカラーの画像光を、所望の倍率でスクリーン（不図示）上に投射する。つまり、各液晶パネル６１ｇ，６１ｒ，６１ｂに入力された駆動信号或いは画像信号に対応する所望の倍率のカラー動画やカラー静止画がスクリーン上に投射される。なお、投射レンズ８０の光軸ＰＸは、ガラスプリズム９１ｇ，９１ｒ，９１ｂでの屈折による光路のシフトの度合いに合わせてシステム光軸ＳＡよりも−Ｙ側に若干平行シフトしている。
【００３７】
以上説明した第１実施形態のプロジェクター１００によれば、ガラスプリズム９１ｇ，９１ｒ，９１ｂが、光合成部７０と協働して出射偏光板９２ｇ，９２ｒ，９２ｂを挟持している。これにより、出射偏光板９２ｇ，９２ｒ，９２ｂの凹凸を低減でき、フォーカスのずれの発生を抑制することができる。さらに、ガラスプリズム９１ｇ，９１ｒ，９１ｂの入射側平面ＩＰ，ＩＰ，ＩＰが、液晶パネル６１ｇ，６１ｒ，６１ｂの主面ＳＳ，ＳＳ，ＳＳに対して傾いている。言い換えると、入射側平面ＩＰ，ＩＰ，ＩＰが、液晶パネル６１ｇ，６１ｒ，６１ｂを経て入射する変調光である各色光Ｇｓ，Ｒｓ，Ｂｓの中心光束軸に対して、傾いた方向を法線方向としている。これにより、比較的簡易な構造で、各色光Ｇｓ，Ｒｓ，Ｂｓの成分のうち反射され不要となる成分を光路外へ排出でき、ゴースト光の発生を抑制できる。
【００３８】
〔第２実施形態〕
以下、第２実施形態に係るプロジェクターについて説明する。なお、本実施形態に係るプロジェクターは、図１に示す第１実施形態のプロジェクター１００の変形例であり、光合成部周辺の構造等を除き、特に説明のないものは第１実施形態と同様である。
【００３９】
図４に示すように、本実施形態に係るプロジェクター２００は、光合成部７０の光路下流側即ち光射出側において、射出側ガラスプリズム７２を有する。射出側ガラスプリズム７２は、他のガラスプリズム９１ｇ，９１ｒ，９１ｂと同一形状を有する射出側ガラス部材であり、光合成部７０を挟んで対向する位置にあるガラスプリズム９１ｇに対向して配置されている。ここで、射出側ガラスプリズム７２の射出側平面ＥＣは、ガラスプリズム９１ｇの入射側平面ＩＰに平行となる配置となっている。
【００４０】
図５に示すように、射出側ガラスプリズム７２があることで、これを経た各色光ＬＧ，ＬＲ，ＬＢは、光路差が揃った状態で合成光として投射レンズ８０に射出され、また、投射レンズ８０のテレセントリック性を良好にしている。より具体的に説明すると、まず、ガラスプリズム９１ｇに入射する緑光ＬＧは、図示のように、ガラスプリズム９１ｇ、出射偏光板９２ｇ、１／２波長板９３、光合成部７０及び射出側ガラスプリズム７２を通過する。緑光ＬＧは、ガラスプリズム９１ｇへの入射に際して、入射側平面ＩＰが傾斜していることにより、若干屈折し、全体として−Ｙ側に一様に傾いた方向に進行方向が変更される。これに対して、射出側ガラスプリズム７２の射出側では、射出側平面ＥＣが入射側平面ＩＰに対して平行に配置されるように傾斜している。これにより、緑光ＬＧは、射出側ガラスプリズム７２からの射出に際して再度屈折し、全体として＋Ｙ側に一様に傾いた方向に進行方向が変更されるため、結果的にガラスプリズム９１ｇに入射する前の元の進行方向に戻る。つまり、緑光ＬＧの傾きが補正され、投射レンズ８０のテレセントリック性が良好なものとなる。また、緑光ＬＧは、ガラスプリズム９１ｇから射出側ガラスプリズム７２にかけての部分の通過において、画像面内で相対的な光路差のない状態で射出するものとなっている。他の色光ＬＲ，ＬＢについても同様に傾きが補正され、画像面内で相対的な光路差のない状態となっている。また、射出側ガラスプリズム７２を経た各色光ＬＧ，ＬＲ，ＬＢは、ずれなく重ね合わせられた合成光として投射レンズ８０に射出される。以上のように、射出側ガラスプリズム７２の射出側平面ＥＣは、各色光ＬＧの入射側平面ＩＰに対して平行に配置されることで、全ての入射側平面ＩＰ，ＩＰ，ＩＰからそれぞれ入射した各色光ＬＧ，ＬＲ，ＬＢの画像光としての画面内での光路長を揃えるような方向に向いた配置となる。
【００４１】
本実施形態のプロジェクター２００においても、ガラスプリズム９１ｇ，９１ｒ，９１ｂと光合成部７０とによって出射偏光板９２ｇ，９２ｒ，９２ｂの凹凸を低減でき、フォーカスのずれの発生を抑制することができる。また、ガラスプリズム９１ｇ，９１ｒ，９１ｂの入射側平面ＩＰ，ＩＰ，ＩＰが、液晶パネル６１ｇ，６１ｒ，６１ｂの主面ＳＳに対して傾いており、各色光ＬＧ，ＬＲ，ＬＢの成分のうち反射され不要となる成分を光路外へ排出でき、ゴースト光の発生を抑制できる。さらに、本実施形態のプロジェクター２００では、射出側ガラスプリズム７２により、各色光ＬＧ，ＬＲ，ＬＢでの画面内での光路差を抑え、かつ、投射レンズ８０のテレセントリック性を良好にできる。
【００４２】
〔第３実施形態〕
以下、第３実施形態に係るプロジェクターについて説明する。なお、本実施形態に係るプロジェクターは、図３等に示す第２実施形態のプロジェクター２００の変形例であり、合成光学系の構造を除き、特に説明のないものは第２実施形態と同様である。従って、光合成部及びその周辺以外の構成については図示及び説明を省略する。
【００４３】
図６（Ａ）に示すように、本実施形態に係るプロジェクター３００は、図５等のプロジェクター２００の場合に比べて、さらに、光合成部７０と射出側ガラスプリズム７２との間において、位相差板である１／４波長板７３を備えている。つまり、光合成部７０と射出側ガラスプリズム７２とは協働して１／４波長板７３を挟持している。これにより、プロジェクター３００は、投射レンズ８０において反射される不要な成分の処理を可能とし、当該成分がゴースト光の原因となることを抑制している。具体的には、図６（Ｂ）に示すように、例えば液晶パネル６１ｇから射出された緑光ＬＧは、Ｓ偏光状態である緑光Ｇｓとしてガラスプリズム９１ｇに入射し、出射偏光板９２ｇ及び１／２波長板９３を経てＰ偏光状態の緑光Ｇｐとなる。さらに、緑光ＬＧは、１／４波長板７３を通過することで偏光変換され、円偏光ＳＰとなった状態で投射レンズ８０に向けて射出される。ここで、円偏光ＳＰの成分のうち、投射レンズ８０内の特定のレンズ８０ａによって反射される成分である不要光ＳＰａは、逆行して再び１／４波長板７３を通過する。１／４波長板７３での偏光変換により、戻り光である不要光ＳＰａは、Ｓ偏光状態の不要光ＳＳａとなって光合成部７０を通過し、１／２波長板９３を通過し、出射偏光板９２ｇに入射する。この際、不要光ＳＳａは、１／２波長板９３によってＰ偏光状態となるため、出射偏光板９２ｇにおいて吸収される。つまり、不要光ＳＳａが、液晶パネル６１ｇ側に戻されてゴースト光の原因となることを抑制できる。同様に、他の色光ＬＲ，ＬＢについても、投射レンズ８０内のレンズ８０ａによって反射される成分は、１／４波長板７３を２度通過することによって直交方向の偏光に変換され、出射偏光板９２ｒ，９２ｂでそれぞれ吸収される。
【００４４】
本実施形態のプロジェクター３００においても、出射偏光板９２ｇ，９２ｒ，９２ｂの凹凸を低減でき、フォーカスのずれの発生を抑制することができる。また、各色光ＬＧ，ＬＲ，ＬＢの成分のうち反射され不要となる成分を光路外へ排出でき、ゴースト光の発生を抑制できる。さらに、本実施形態のプロジェクター３００では、１／４波長板７３により、投射レンズ８０側で反射される成分によってゴーストが発生することを抑制できる。
【００４５】
〔第４実施形態〕
以下、第４実施形態に係るプロジェクターについて説明する。なお、本実施形態に係るプロジェクターは、図１に示す第１実施形態のプロジェクター１００の変形例であり、光束状態調整部及び光合成部の構造等を除き、特に説明のないものは第１実施形態と同様である。従って、光合成部及びその周辺以外の構成については図示及び説明を省略する。
【００４６】
図７に示すように、本実施形態に係るプロジェクター４００において、光束状態調整部４９０は、４つの平板状のガラスプリズム４９１ｇ，４９１ｒ，４９１ｂと、出射偏光板９２ｇ，９２ｒ，９２ｂと、１／２波長板９３とを備える。また、射出側ガラスプリズム４７２も、平板状である。ここで、図示のように、光合成部４７０は、図１等に示す通常の状態の配置と比べ傾いて配置されている。具体的には、光合成部４７０の配置は、システム光軸ＳＡに対して第１光入射面７０ｇを垂直とする通常の配置に対してダイクロイックミラー７１ａ，７１ｂの交差軸ＡＸを中心として角度βだけ軸回転した状態となっている。この結果、光合成部４７０の各光入射面７０ｇ，７０ｒ，７０ｂは、それぞれの光束中心軸に対して、傾斜角度βだけ傾いた状態となる。これに伴い、平板状のガラスプリズム４９１ｇ，４９１ｒ，４９１ｂの入射側平面ＩＰ，ＩＰ，ＩＰも傾斜角度βだけ傾いた状態となる。さらに、射出側ガラスプリズム４７２の射出側平面ＥＣも、ガラスプリズム４９１ｇの入射側平面ＩＰと平行に配置された状態を保ち、傾斜角度βだけ傾いた状態となる。
【００４７】
本実施形態においても、平板部材である４つのガラスプリズム４９１ｇ，４９１ｒ，４９１ｂと光合成部４７０とに挟持させることによって出射偏光板９２ｇ，９２ｒ，９２ｂでのフォーカスのズレの発生を抑制できる。さらに、ガラスプリズム４９１ｇ，４９１ｒ，４９１ｂの傾いた入射側平面ＩＰ，ＩＰ，ＩＰでの反射によって不要成分を適宜除去できる。また、射出側ガラスプリズム４７２により、各色光ＬＧ，ＬＲ，ＬＢでの画面内での光路差の発生を抑え、かつ、投射レンズ８０のテレセントリック性を良好にできる。
【００４８】
〔第５実施形態〕
以下、第４実施形態に係るプロジェクターについて説明する。なお、本実施形態に係るプロジェクターは、図１に示す第１実施形態のプロジェクター１００の変形例であり、光束状態調整部の構造等を除き、特に説明のないものは第１実施形態と同様である。従って、光合成部及びその周辺以外の構成については図示及び説明を省略する。
【００４９】
図８（Ａ）〜８（Ｃ）は、本実施形態に係るプロジェクター５００の光合成部周辺について示す図であり、図８（Ａ）は、ＸＹ面について見た平面図であり、図８（Ｂ）は、ＸＺ面について見た側面図であり、図８（Ｃ）は、ＹＺ面について見た側面図である。図８（Ａ）〜８（Ｃ）に示すように、本実施形態のプロジェクター５００において、光束状態調整部５９０は、４つの三角柱形状のガラスプリズム５９１ｇ，５９１ｒ，５９１ｂと、出射偏光板９２ｇ，９２ｒ，９２ｂと、１／２波長板９３とを備える。ここで、ガラスプリズム５９１ｇ，５９１ｒ，５９１ｂの入射側平面ＩＰ，ＩＰ，ＩＰは、Ｙ軸に平行な軸を中心として回転した傾斜面となっている。この点において、各入射側平面ＩＰ，ＩＰ，ＩＰがＺ軸に平行な軸を中心として回転した傾斜面となっている上記第１乃至第４実施形態に係るプロジェクターとは傾斜方向が異なる。具体的には、図８（Ｂ）に示すように、入射側平面ＩＰの法線ＰＰ´は、システム光軸ＳＡを基準としてＹ軸に平行な軸を中心に時計回りに傾斜角度β´（β´＝９０°−α´）だけ傾いている。同様に、射出側ガラスプリズム５７２についても、システム光軸ＳＡを基準としてＹ軸に平行な軸を中心に時計回りに傾斜角度β´だけ傾いている。本実施形態の場合においても、傾斜角度β´を適宜定めることで、不要光ＬＬが液晶パネル側に戻ることなく光路外へ排出されるようにでき、ゴーストの発生を効果的に抑制するものとなっている。なお、この場合、投射レンズ８０の光軸ＰＸは、ガラスプリズム５９１ｇ，５９１ｒ，５９１ｂでの屈折による光路のシフトの度合いに合わせてシステム光軸ＳＡよりも−Ｚ側に若干平行シフトしている。
【００５０】
〔その他〕
以上実施形態に即して本発明を説明したが、本発明は、上記の実施形態に限られるものではなく、その要旨を逸脱しない範囲において種々の態様において実施することが可能であり、例えば次のような変形も可能である。
【００５１】
まず、上記各実施形態では、反射型のプロジェクターに本発明を適用した場合の例について説明したが、本発明は、透過型プロジェクターにも適用することが可能である。ここで、「透過型」とは、液晶パネル等を含む液晶ライトバルブが光を透過するタイプであることを意味しており、「反射型」とは、液晶ライトバルブが光を反射するタイプであることを意味している。
【００５２】
また、上記では、ガラスプリズム９１ｇ等は、三角柱形状であるものとしているが、液晶パネル６１ｇの主面ＳＳに対して傾斜角度βをなす入射側平面ＩＰを有していれば、三角柱形状以外の形状であってもよい。
【００５３】
また、上記では、１／２波長板９３は、出射偏光板９２ｇとともに、ガラスプリズム９１ｇと光合成部７０とに挟持されているが、１／２波長板９３を省略することができ、又は上記以外の位置に配置することができる。この場合、ガラスプリズム９１ｇと光合成部７０とは、出射偏光板９２ｇのみを挟持するものとなる。
【００５４】
また、上記第４実施形態において、平板状のガラスプリズム４９１ｇ，４９１ｂ，４９１ｒの厚さは適宜定めることができ、三角柱形状のガラスプリズム９１ｇ等に比べ薄いものとしてもよい。
【００５５】
また、上記第５実施形態では、出射偏光板９２ｇ，９２ｒ，９２ｂとして、光反射型の偏光板を用いてもよい。
【００５６】
また、上記したプロジェクター１００等では、照明装置２０において、第１及び第２のレンズアレイ１５，１６と、偏光変換装置１７と、重畳レンズ１８とを備える構成としたが、これらについては省略することができる。さらに、第１及び第２のレンズアレイ１５，１６をロッドインテグレータに置き換えることもできる。
【符号の説明】
【００５７】
１０…光源装置、  １５，１６…レンズアレイ、  １７…偏光変換装置、  １８…重畳レンズ、  ２０…照明装置、  ２１…クロスダイクロイックミラー、  ２２…ダイクロイックミラー、  ４０…色分離導光部、  ５１ｂ，５１ｒ，５１ｇ…入射偏光板、  ５２ｇ，５２ｒ，５２ｂ…偏光ビームスプリッター、  ９０…光束状態調整部、  ９１ｇ，９１ｒ，９１ｂ…ガラスプリズム、  ９２ｇ，９２ｒ，９２ｂ…出射偏光板、  ６０…光変調部、  ６０ｇ，６０ｒ，６０ｂ…液晶ライトバルブ、  ６１ｇ，６１ｒ，６１ｂ…液晶パネル、  ７０…光合成部、  ７１ａ，７１ｂ…ダイクロイックミラー、  ８０…投射レンズ、  １００，２００，３００…プロジェクター、  ＩＬ…照明光束、  Ｇｐ，Ｒｐ，Ｂｐ…色光、  ＯＰ１，ＯＰ２，ＯＰ３…光路、  ＳＡ…システム光軸
【図１】
2012008434.tif 000003
【図２】
2012008434.tif 000004
【図３】
2012008434.tif 000005
【図４】
2012008434.tif 000006
【図５】
2012008434.tif 000007
【図６】
2012008434.tif 000008
【図７】
2012008434.tif 000009
【図８】
2012008434.tif 000010